(57)【特許請求の範囲】
【請求項１】
蒸気の発生を行うボイラ、ボイラの運転を制御し、運転状況の監視を行うボイラ制御装置、ボイラ制御装置内で保有する情報を送信するボイラ側通信端末、ボイラの管理担当者の手元にあり、電話回線を通じて送られてくる電子メールを受信する管理担当者用メール端末、ボイラ制御装置からボイラ側通信端末を通じて送られてきた情報を受信し、運転状況や異常内容をデータとして蓄積してデータベースを作成するホストコンピュータ、ホストコンピュータ内で保有する情報を電子メールとして電話回線を通じて送信するサービスセンター用メール端末をそれぞれ設け、前記データベースには各異常内容に対応する対処方法の情報も入力しておき、ボイラに異常が発生した場合、ボイラ制御装置では、管理担当者用メール端末に対して異常通報を行うとともに、異常内容と異常発生に至るまでの運転状況をホストコンピュータへ送信しておき、ボイラ制御装置から異常通報を受けたボイラの管理担当者がホストコンピュータに問い合わせを行うと、ホストコンピュータではボイラの異常内容に対応する対処方法を導き出し、管理担当者用メール端末へ向けて電子メールの形式で対処方法の情報を送信するものであることを特徴とするボイラの状態を電子メールで通信するボイラ通信システム。
【請求項２】
請求項１に記載のボイラの状態を電子メールで通信するボイラ通信システムにおいて、ＴＣＰ／ＩＰによる通信を行うものであることを特徴とするボイラの状態を電子メールで通信するボイラ通信システム。
【発明の詳細な説明】
【０００１】
【産業上の利用分野】
本発明は、ボイラの状態を電子メールで通信するボイラ通信システムに関するものである。
【０００２】
【従来の技術】
ボイラの運転制御は自動化が進んでおり、管理担当者が常駐する必要のないボイラの場合、管理担当者はボイラが正常な運転を行っている間はボイラから離れた所におり、ボイラに異常が発生するとボイラの所へ駆けつけて異常内容を確認し、異常原因や対処方法を推測して修理などの対処を行っている。この場合、普段はボイラの保全作業等の世話が不要であるため、その間は別の作業を行うことができるが、その分ボイラに対する習熟度はあまり上がらないため、ボイラの異常発生時に異常原因や対処方法が容易に判らず、復旧作業が遅れるということがあった。
【０００３】
【発明が解決しようとする課題】
本発明が解決しようとする課題は、ボイラに対する習熟度が高くなくても、ボイラの異常発生時には迅速に復旧させることができるようにすることにある。
【０００４】
【課題を解決するための手段】
ボイラの運転を制御し、運転状況の監視を行うボイラ制御装置、ボイラ制御装置内で保有する情報を送信するボイラ側通信端末、ボイラの管理担当者の手元にあり、電話回線を通じて送られてくる電子メールを受信する管理担当者用メール端末、ボイラ制御装置からボイラ側通信端末を通じて送られてきた情報を受信し、運転状況や異常内容をデータとして蓄積してデータベースを作成するホストコンピュータ、ホストコンピュータ内で保有する情報を電子メールとして電話回線を通じて送信するサービスセンター用メール端末をそれぞれ設け、前記データベースには各異常内容に対応する対処方法の情報も入力しておき、ボイラに異常が発生した場合、ボイラ制御装置では、管理担当者用メール端末に対して異常通報を行うとともに、異常内容と異常発生に至るまでの運転状況をホストコンピュータへ送信しておき、ボイラ制御装置から異常通報を受けたボイラの管理担当者がホストコンピュータに問い合わせを行うと、ホストコンピュータではボイラの異常内容に対応する対処方法を導き出し、管理担当者用メール端末へ向けて電子メールの形式で対処方法の情報を送信する。
【０００５】
【発明の実施の形態】
本発明の一実施例を図面を用いて説明する。図１は本発明のボイラ通信システムの構成図である。ボイラ１には蒸気を発生させるボイラ本体部分と、ボイラの運転を制御し、運転状況の監視を行うボイラ制御装置２を一体的に設ける。
ボイラ制御装置２には、ボイラ制御装置内で保有する情報を電話回線４を通じて送信するボイラ側通信端末５を接続する。
【０００６】
電話回線４を通じて送られてきたボイラ制御装置２からの情報を蓄積し、分析するためのサービスセンター７と、ボイラの管理担当者の手元に、電話回線４を通じて送られてきた電子メールを受信する管理担当者用メール端末６を設けておき、ボイラ側通信端末５、管理担当者用メール端末６、サービスセンター７はそれぞれ電話回線４によって接続する。
【０００７】
サービスセンター７にはボイラ側通信端末５から電話回線４を通じて送られてきた情報を受信し、運転状況や異常内容をデータとして蓄積してデータベース９を作成するホストコンピュータ８と、ホストコンピュータ８内で保有する情報を電子メールとして電話回線４を通じて送信するサービスセンター用メール端末３を設ける。これらの通信にはＴＣＰ／ＩＰを使用し、ＴＣＰ／ＩＰに対応した機器を用いる。
【０００８】
ボイラの運転状況はボイラ制御装置からサービスセンター７へ定期的に送信しており、サービスセンター７へ送信された運転状況のデータはホストコンピュータ８のデータベース９に蓄積する。また、ボイラに異常が発生したり、点検が必要となった場合にも、ボイラの運転状況のデータをサービスセンター７へ送信しており、この場合には異常内容も送信されてデータベース９に蓄積される。データベース９には、予め各異常内容に対する異常原因や対処方法として考えられることの入力も行っておく。
【０００９】
ボイラ１の運転は運転スイッチを入れると、ボイラ制御装置２によって自動的に行われ、ボイラ制御装置２はボイラ１の運転状況の監視も行う。ボイラの管理担当者が通常時はボイラから離れている場合、ボイラの異常は、管理担当者用メール端末６へ異常通報を行うことによって報知するようにしておく。ボイラ管理担当者は管理担当者用メール端末６に送られた異常通報によってボイラに異常が発生したことを知る。管理担当者用メール端末６は文字を通信することができる携帯電話等であると、管理担当者が携帯することで、どこにいてもボイラの異常を知ることができる。
【００１０】
ボイラに異常が発生した場合、まずボイラ制御装置２が異常の検出を行い、ボイラ制御装置２から管理担当者用メール端末６へ対して異常通報を行う。またボイラ制御装置２は異常内容と異常に至るまでの運転状況をサービスセンター７へ送信する。異常内容と運転状況のデータを受信したサービスセンター７のホストコンピュータ８では、受信した情報とデータベース９に蓄積しておいた情報から異常原因と対処方法を導き出す。
【００１１】
例えばメーンバーナ燃焼開始動作時に火炎の確認ができなかったという場合、メーン不着火の異常が発生したと判断される。メーン不着火という異常に対し、サービスセンター７のホストコンピュータ８では、▲１▼燃料がない、▲２▼燃料元弁が閉じている、▲３▼燃料の供給に異常がある、▲４▼その他、といった異常原因の推定を行う。そして処置として、▲１▼燃料の供給、▲２▼燃料元弁を開く、▲３▼燃料供給配管を確認する、▲４▼再度着火を試みる、といった対処方法を導き出す。
【００１２】
異常原因と対処方法は、データベース９に蓄積していたデータ等から優先順位を付け、確率の高いものの順に並べる。例えばメーン不着火の場合、燃料がないという理由が多いことが経験的に知られているため、初期の入力時にそのように設定しておく。また、直前まで燃焼を行っていたボイラにメーン不着火が発生したのであれば、燃料が無くなったという可能性が高く、燃料元弁が閉じているという可能性は低いということが判断できる。
【００１３】
管理担当者用メール端末６へ送られる異常通報では、メーン不着火などといった簡単な異常内容が送られるが、異常内容のみでは処置方法が判らないため、異常通報を受けたボイラの管理担当者は、サービスセンター７に対して問い合わせを行う。問い合わせを受けたサービスセンター７では、前記の異常原因や対処方法を電子メールとして管理担当者用メール端末６へ送信する。管理担当者は管理担当者用メール端末６に送られてきた異常原因や対処方法を参照することで、必要な処置をすぐに始めることができる。
【００１４】
ホストコンピュータ８のデータベース９は異常内容ごとに分類しておき、管理担当者がサービスセンター７へ問い合わせを行う場合、異常内容を指定することで異常内容別の異常原因や対処方法の情報を引き出すものであってもよく、データベース９を個々のボイラごとに分類しておき、ボイラに異常が発生すると、異常に対する情報は当該ボイラのアドレスに格納させておき、管理担当者はボイラの個別コードを指定することで異常原因や対処方法の情報を引き出すものであってもよい。
【００１５】
なお、本発明で使用した異常という用語には、ボイラを停止させなければならない状態という狭義の異常と、通常とは異なる状態が発生したため点検が必要（予知）ということも含めた広義の異常があるが、狭義の異常に限定されるものではない。また異常発生時以外の場合でも、ホストコンピュータ８に蓄積しているボイラの運転状況の情報を、管理担当者用メール端末６を用いて引き出すことが行われる。
【００１６】
【発明の効果】
本発明を実施することで、異常に対するきめ細かな対処方法を取得することができ、ボイラに習熟していなくても必要な処置をすぐに始めることができるので、ボイラに異常が発生しても迅速に復旧させることができる。
【図面の簡単な説明】
【図１】  本発明のボイラ通信システムの構成図
【符号の説明】
１  ボイラ
２  ボイラ制御装置
３  サービスセンター用メール端末
４  電話回線
５  ボイラ側通信端末
６  管理担当者用メール端末
７  サービスセンター
８  ホストコンピュータ
９  データベース
【図１】
0004076184.tif 000002